(57)【要約】【課題】  ネットワークを介してラジオ番組等の音声データを配信する際の広告効果を高めることができる広告配信装置を提供する。【解決手段】  ネットラジオサーバ３から広告配信サーバ５に、マイク１１に入力された音声の音声データが出力される。  そして、広告配信サーバ５において、入力した上記音声データを、音声認識してテキストデータにし、そのテキストデータからキーワードを抽出する。そして、広告配信サーバ５は、上記抽出したキーワードに関連する広告データを選択して直接端末装置７−ｎに配信する。【選択図】  図１
2008241943.tif 000002
【特許請求の範囲】
【請求項１】
音声データをテキストデータに変換する変換手段と、
前記変換手段が変換した前記テキストデータからキーワードを抽出するキーワード抽出手段と、
前記キーワード抽出手段が抽出した前記キーワードに対応する広告データを選択する広告選択手段と、
前記広告選択手段が選択した前記広告データを、前記音声データに関係するコンピュータに配信する広告配信手段と
を有する広告配信装置。
【請求項２】
前記音楽データは、ラジオ番組の音声データであり、
前記広告配信手段は、前記ラジオ番組を選局するユーザのコンピュータに前記広告データを配信する
請求項１に記載の広告配信装置。
【請求項３】
前記キーワード抽出手段は、前記テキストデータが示す意味を解析し、肯定的に使用されている前記キーワードを抽出する
請求項１に記載の広告配信装置。
【請求項４】
音声データをテキストデータに変換する変換工程と、
前記変換工程で変換した前記テキストデータからキーワードを抽出するキーワード抽出工程と、
前記キーワード抽出工程で抽出した前記キーワードに対応する広告データを選択する広告選択工程と、
前記広告選択工程で選択した前記広告を、前記音声データに関係するコンピュータに配信する広告配信工程と
を有する広告配信方法。
【発明の詳細な説明】
【技術分野】
【０００１】
本発明は、音声データに適合した広告を配信する広告配信装置およびその方法に関するものである。
【背景技術】
【０００２】
インターネットを介して番組データを配信するインターネットラジオが普及している。
このようなインターネットラジオでは、例えば、放送局のサイトにアクセスしたコンピュータに対して、番組選択用のＷｅｂページをダウンロードさせる。
このようなＷｅｂページには、予め登録された広告データが含まれている。
【発明の開示】
【発明が解決しようとする課題】
【０００３】
しかしながら、上述した従来のインターネットラジオでは、Ｗｅｂページに含まれる広告データと、ラジオ番組の内容との間に関連付けが行われておらず、広告効果が低いという問題がある。
【０００４】
本発明はかかる事情に鑑みてなされたものであり、その目的は、ネットワークを介してラジオ番組等の音声データを配信する際の広告効果を高めることができる広告配信装置およびその方法を提供することにある。
【課題を解決するための手段】
【０００５】
上述した従来技術の問題を解決し、上述した目的を達成するために、第１の観点の発明の広告配信装置は、音声データをテキストデータに変換する変換手段と、前記変換手段が変換した前記テキストデータからキーワードを抽出するキーワード抽出手段と、前記キーワード抽出手段が抽出した前記キーワードに対応する広告データを選択する広告選択手段と、前記広告選択手段が選択した前記広告データを、前記音声データに関係するコンピュータに配信する広告配信手段とを有する。
【０００６】
第１の観点の発明の広告配信装置では、変換手段において、音声データをテキストデータに変換する。
次に、キーワード抽出手段が、前記変換手段が変換した前記テキストデータからキーワードを抽出する。
次に、広告選択手段が、前記キーワード抽出手段が抽出した前記キーワードに対応する広告データを選択する。
次に、広告配信手段が、前記広告選択手段が選択した前記広告データを、前記音声データに関係するコンピュータに配信する。
【０００７】
好適には、第１の観点の発明の広告配信装置において、前記音楽データは、ラジオ番組の音声データであり、前記広告配信手段は、前記ラジオ番組を選局するユーザのコンピュータに前記広告データを配信する。
また、好適には、第１の観点の発明の広告配信装置において、前記キーワード抽出手段は、前記テキストデータが示す意味を解析し、肯定的に使用されている前記キーワードを抽出する。
【０００８】
第２の観点の発明の広告配信方法は、音声データをテキストデータに変換する変換工程と、前記変換工程で変換した前記テキストデータからキーワードを抽出するキーワード抽出工程と、前記キーワード抽出工程で抽出した前記キーワードに対応する広告データを選択する広告選択工程と、前記広告選択工程で選択した前記広告を、前記音声データに関係するコンピュータに配信する広告配信工程とを有する。
【発明の効果】
【０００９】
本発明によれば、ネットワークを介してラジオ番組等の音声データを配信する際の広告効果を高めることができる広告配信装置およびその方法を提供することができる。
【発明を実施するための最良の形態】
【００１０】
図１は、本発明の実施形態に係わるネットワークシステム１の構成図である。
図１に示すように、ネットワークシステム１は、例えば、ネットラジオサーバ３、広告配信サーバ５およびＮ台の端末装置７−ｎを有し、これらがインターネットなどのネットワーク９に接続されている。
【００１１】
図１に示すネットワークシステム１では、インターネットラジオ局２のネットラジオサーバ３から広告配信サーバ５に、マイク１１に入力された音声の音声データが出力される。
そして、広告配信サーバ５において、入力した上記音声データを、音声認識してテキストデータにし、そのテキストデータからキーワードを抽出する。そして、広告配信サーバ５は、上記抽出したキーワードに関連する広告データを選択して、ネットラジオサーバ３を介して、あるいは直接、端末装置７−ｎに配信する。
【００１２】
［ネットラジオサーバ３］
ネットラジオサーバ３は、例えば、インターネットラジオ局２に配設されている。
ネットラジオサーバ３は、例えば、マイク１１を介して入力された音声信号をＡ／Ｄ変換してデジタルの音声データを生成する。
ネットラジオサーバ３は、上記生成した音声データや音楽データ等を格納したデータあるいはＷｅｂページを、ラジオ放送番組データとして、インターネットプロトコル等を通じて、ネットワーク９上の端末装置７−ｎのうちネットラジオサーバ３のアドレスにアクセスした端末装置７−ｎに配信する。
【００１３】
また、端末装置７−ｎは、例えば、ネットラジオサーバ３以外のサーバ（複数のネットラジオ番組を選択可能なサイト）から提供されているＷｅｂページ内の一部の情報として、端末装置７−ｎから受信したラジオ放送番組データを用いてもよい。
なお、ネットラジオサーバ３と端末装置７−ｎとの接続形式は、ユニキャストおよびマルチキャストのいずれでもよい。また、ネットラジオサーバ３から端末装置７−ｎへのＷｅｂページの伝送方式は、ダウンロードおよびストリーミングのいずれでもよい。
【００１４】
［広告配信サーバ５］
広告配信サーバ５は、図１に示すように、例えば、音声認識部２１、日本語解析部２３および広告配信部２５を有する。
広告配信サーバ５の各機能の全部あるいは一部は、例えば、処理回路がプログラムを実行することで実現されてもよいし、その一部を専用ハードウェアを構築して実現してもよい。
【００１５】
音声認識部２１は、ネットラジオサーバ３から上記音声データあるいはラジオ放送番組データを入力し、音声認識処理を行い、それらに応じたテキストデータを生成する。
音声認識部２１は、上記テキストデータを日本語解析部２３に出力する。
【００１６】
日本語解析部２３は、音声認識部２１から入力したテキストデータを解析し、キーワードを抽出する。
このとき、日本語解析部２３は、広告配信に関するキーワードを予め収集したデータベース２７を参照して、上記テキストデータに含まれるキーワードを抽出する。当該抽出されるキーワードの数は、例えば、予め決められたルールに従って決められる。
なお、日本語解析部２３は、上記テキストデータに含まれるキーワードの抽出において、テキストデータが示す内容を解析し、そのキーワードが肯定的および否定的の何れで使用されているかを特定し、肯定的に使用されている場合にのみ、そのキーワードを抽出するようにしてもよい。日本語解析部２３は、例えば、そのキーワードの後方の何文字以内に否定的な用語が存在する場合には、そのキーワードは否定的に使用されたと判断する。
日本語解析部２３は、上記抽出したキーワードを広告配信部２５に出力する。
【００１７】
広告配信部２５は、日本語解析部２３から入力したキーワードに対応する広告データを選択し、当該選択した広告データを、ネットワーク９を介して、ネットラジオサーバ３にアクセスしている端末装置７−１〜７−Ｎに配信する。
具体的には、ネットラジオサーバ３にアクセスしている端末装置７−ｎが、ネットラジオサーバ３からダウンロードするＷｅｂページ（ＨＴＭＬファイル）内の広告領域に、上記選択した広告データを表示させる。すなわち、広告配信部２５は、上記選択した広告データをネットラジオサーバ３に出力し、ネットラジオサーバ３は、当該入力した広告データをネットラジオサーバ３に配信するＷｅｂページ内に格納する。
【００１８】
広告配信部２５は、例えば、予め単数のキーワードまたは複数キーワードの組み合わせと、広告データとを対応付けたキーワード・広告対応表データを保持する。
そして、広告配信部２５は、日本語解析部２３から入力したキーワードに対応する広告データを上記キーワード・広告対応表データから選択する。
このとき、広告配信部２５は、放送時刻に応じた複数のキーワード・広告対応表データを保持し、放送時刻に応じて、上記複数のキーワード・広告対応表データを選択して用いてもよい。
また、上記キーワード・広告対応表データ内の同一のキーワードあるいはその組み合わせに対して複数の広告データが対応付けられている場合には、広告配信部２５は、例えば、選択回数が均等になるように、広告データを選択する。
【００１９】
広告配信部２５は、上記配信した広告データをカウントし、それを広告主課金にフィードバックしてもよい。
【００２０】
以下、図１に示すネットワークシステム１の動作例を説明する。
図２は、図１に示すネットワークシステム１の動作例を説明するためのフローチャートである。
ステップＳ１：
インターネットラジオ番組のＤＪがマイク１１を介して音声を入力し、ネットラジオサーバ３において、それが音声データに変換される。
ステップＳ２：
ネットラジオサーバ３は、上記音声データや音楽データ等をラジオ放送番組データとして、インターネットプロトコル等を通じて、ネットワーク９上の端末装置７−１〜７−Ｎのうちネットラジオサーバ３のアドレスにアクセスした端末装置７−ｎに配信する。
また、ネットラジオサーバ３は、上記音声データを広告配信サーバ５に送信する。
【００２１】
ステップＳ３：
ネットラジオサーバ３の音声認識部２１は、ネットラジオサーバ３から受信した上記音声データの音声認識処理を行い、それに応じたテキストデータを生成する。
音声認識部２１は、上記テキストデータを日本語解析部２３に出力する。
【００２２】
ステップＳ４：
ネットラジオサーバ３の日本語解析部２３は、音声認識部２１から入力したテキストデータを解析し、キーワードを抽出する。
このとき、日本語解析部２３は、広告配信に関するキーワードを予め収集したデータベース２７を参照して、上記テキストデータに含まれるキーワードを抽出する。
日本語解析部２３は、上記抽出したキーワードを広告配信部２５に出力する。
【００２３】
ステップＳ５：
広告配信部２５は、日本語解析部２３から入力したキーワードに対応する広告データを選択する。
広告配信部２５は、上記選択した広告データをネットラジオサーバ３に出力する。
ステップＳ６：
ネットラジオサーバ３は、入力した広告データを、ネットラジオサーバ３に配信するＷｅｂページ内に格納する。
ステップＳ７：
ネットラジオサーバ３は、上記広告データを格納したＷｅｂページを、ネットワーク９を介して、ネットラジオサーバ３にアクセスしている端末装置７−１〜７−Ｎに配信する。
【００２４】
以下、端末装置７−ｎのディスプレイに表示されるインターネットラジオのＷｅｂ画面１００を説明する。
図３は、端末装置７−ｎのディスプレイに表示されるインターネットラジオのＷｅｂ画面１００を説明するための図である。
図３に示すように、Ｗｅｂ画面１００は、画面の上と下部分にそれぞれ広告領域１０１，１０３を有している。
図３に示すように、Ｗｅｂ画面１００は、例えば、放送番組名表示領域１１１、チューナ領域１１３、操作領域１１４、投稿用入力領域１１５、過去番組テーマ一覧表示領域１１６、現在テーマ表示領域１１７、テーマ概要表示領域１１８、ユーザコメント一覧表示領域１１９を有する。
【００２５】
広告領域１０１，１０２には、例えば、図２に示すステップＳ６によってＷｅｂページ内に格納された広告データに応じた画像等が表示される。当該画像等には、静止画の他、動画およびテキストが含まれる。
なお、図１に示す広告配信部２５あるいはネットラジオサーバ３等は、図２に示すステップＳ５で選択された広告データをどのように広告領域１０１，１０３に表示するかを決定する。広告配信部２５あるいはネットラジオサーバ３等は、例えば、音声認識により放送中の番組と最も関連性が高いと判断した広告を広告領域１０１に掲載し、広告領域１０３に２番目に関連性が高いと判断した広告を掲載してもよい。
また、広告配信部２５あるいはネットラジオサーバ３等は、広告料が高い広告を広告領域１０１に優先的に掲載してもよい。
【００２６】
放送番組名表示領域１１１には、現在、ユーザが選局しているラジオ放送番組の番組名が表示される。
チューナ領域１１３は、ユーザの操作によってラジオ放送番組を選択（選局）するために用いられる。
操作領域１１４は、選局しているラジオ放送番組の再生、巻き戻し、早送り等を指定するために用いられる。
投稿用入力領域１１５は、ラジオ放送番組にユーザが投稿するための入力欄として用いられる。
過去番組テーマ一覧表示領域１１６には、例えば、ユーザが過去に選択した放送番組のテーマ等の一覧が表示される。
現在テーマ表示領域１１７は、現在の選択されているラジオ放送番組の現在のテーマに関するテキストや画像が表示される。これらのテキストや画像は、例えば、図１に示すネットラジオサーバ３から配信されたものが用いられる。
【００２７】
テーマ概要表示領域１１８は、現在テーマ表示領域１１７に表示されているテーマの概要がテキストで表示される。
ユーザコメント一覧表示領域１１９は、テーマ概要表示領域１１８に表示されているテーマに対しての他のユーザ（リスナー）のコメント一覧が表示される。
【００２８】
以上説明したように、ネットワークシステム１によれば、ネットラジオサーバ３にマイク１１から入力された音声データに含まれるキーワードに関連する広告データを、ネットラジオサーバ３のラジオ番組を聴いているユーザの端末装置７−ｎに配信できる。
そのため、広告効果を高めることができる。
【００２９】
また、ネットワークシステム１によれば、上記音声データ内において肯定的に使用されたキーワードを抽出して広告データを選択するため、そのキーワードが否定的に使用された場合には、それに関連する広告データは配信されないため、広告が不適切な場面で送信されることを回避できる。
【００３０】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００３１】
上述した実施形態では、広告配信部２５で選択した広告データをネットラジオサーバ３に送信し、ネットラジオサーバ３において、当該広告データをＷｅｂページ内に格納する場合を例示したが、広告配信部２５が上記選択した広告データをネットラジオサーバ３を介さずに、直接、端末装置７−ｎに送信してもよい。
【００３２】
また、日本語解析部２３において方言のキーワードを用意して抽出し、広告配信部２５において方言のキーワードを基に、その方言に関係する地域の広告データを優先的に選択するようにしてもよい。
【００３３】
上述した図１に示す例では、単数のインターネットラジオ局２が存在する場合を例示したが、複数のインターネットラジオ局を有し、それらの放送を一括して紹介するＷｅｂサイトに上記広告データを提供してもよい、この場合には、当該Ｗｅｂサイトが、ユーザが選局中の番組の音声データを基に選択された広告データを、当該ユーザの端末装置７−ｎに送信する。
【産業上の利用可能性】
【００３４】
本発明は、インターネットラジオ等の音声データを配信するシステムに適用可能である。
【図面の簡単な説明】
【００３５】
【図１】図１は、本発明の実施形態に係わるネットワークシステムの構成図である。
【図２】図２は、図１に示すネットワークシステムの動作例を説明するためのフローチャートである。
【図３】図３は、図１に示す端末装置に表示される画面を説明するための図である。
【符号の説明】
【００３６】
１…ネットワークシステム
３…ネットラジオサーバ
５…広告配信サーバ
７−ｎ…端末装置
２１…音声認識部
２３…日本語解析部
２５…広告配信部
２７…データベース
【図１】
2008241943.tif 000003
【図２】
2008241943.tif 000004
【図３】
2008241943.tif 000005